(57)【要約】【課題】２つの部材に亘って設けられた給電ケーブルの断線を防止すること。【解決手段】連結機構４００は、対向配置される第１の部材１１１に対して第２の部材１１２を回動可能に連結するヒンジ部４１０と、ヒンジ部４１０を第１および第２の部材１１１、１１２の対向方向に沿って変位可能に保持する保持部４２０と、保持部４２０によって保持されるヒンジ部４１０の変位範囲を規制する規制部と、を備えることを特徴とする。保持部４２０は、ヒンジ部４１０に連結されたスライド部材５０２と、スライド部材５０２を対向方向に沿ってスライド可能に保持するホルダ部材８０１とを有し、規制部は、スライド部材５０２とホルダ部材８０１との間に設けられて、第１および第２の部材１１１、１１２が所定距離離間する位置において係合する。【選択図】        図８
2007088681.tif 000002
【特許請求の範囲】
【請求項１】
対向配置される第１の部材に対して第２の部材を回動可能に連結するヒンジ部と、
前記ヒンジ部を前記第１および第２の部材の対向方向に沿って変位可能に保持する保持部と、
前記保持部によって保持される前記ヒンジ部の変位範囲を規制する規制部と、
を備えることを特徴とする連結機構。
【請求項２】
前記保持部は、
前記ヒンジ部に連結されたスライド部材と、当該スライド部材を前記対向方向に沿ってスライド可能に保持するホルダ部材とを有し、
前記規制部は、
前記スライド部材と前記ホルダ部材との間に設けられて、前記第１および第２の部材が所定距離離間する位置において係合する係合部材であることを特徴とする請求項１に記載の連結機構。
【請求項３】
前記係合部材は、
前記スライド部材に設けられた凸部および前記ホルダ部材において前記凸部の移動軌跡上に設けられた凹部であることを特徴とする請求項２に記載の連結機構。
【請求項４】
原稿を支持する原稿台が設けられた本体ハウジングと、
前記原稿台に対向配置される原稿カバーと、
前記本体ハウジングに対して前記原稿カバーを回動可能に連結するヒンジ部と、
前記ヒンジ部を前記本体ハウジングおよび前記原稿カバーの対向方向に沿って変位可能に保持する保持部と、
前記保持部によって保持される前記ヒンジ部の変位範囲を規制する規制部と、
を備えることを特徴とする画像読取装置。
【発明の詳細な説明】
【技術分野】
【０００１】
この発明は、連結機構および画像読取装置に関する。
【背景技術】
【０００２】
従来、原稿押さえ部材に装着されたヒンジ部材の支持脚を装置本体側の軸穴に挿し込むことにより、装置本体上で原稿押さえ部材を開閉かつ上下動可能に支持してなる画像読取装置において、支持脚の端部に引っ掛け部を設けるとともに、ブラインドカバーの挿入口の一部を突出させてストッパー部を形成し、このストッパー部に引っ掛け部が突き当たることで軸穴から支持脚が抜けないようにした画像読取装置がある（たとえば、下記特許文献１参照。）。
【０００３】
【特許文献１】特開２０００−２３１１６３号公報
【発明の開示】
【発明が解決しようとする課題】
【０００４】
しかしながら、上述した特許文献１に記載された技術では、原稿押さえ部材によって押さえることができる原稿の厚さが、原稿押さえ部材の上下動可能な範囲内に制限されてしまうという問題がある。一方で、装置本体に対する原稿押さえ部材の着脱が容易な構成とした場合、原稿の厚さ制限に関する問題を解消することはできるが、原稿押さえ部材を取り外す際に勢いがつき易く、装置本体および原稿押さえ部材に亘って設けられた給電ケーブルが断線し易くなってしまうという問題がある。
【課題を解決するための手段】
【０００５】
この発明にかかる連結機構は、対向配置される第１の部材に対して第２の部材を回動可能に連結するヒンジ部と、前記ヒンジ部を前記第１および第２の部材の対向方向に沿って変位可能に保持する保持部と、前記保持部によって保持される前記ヒンジ部の変位範囲を規制する規制部と、を備えることを特徴とする。
【０００６】
したがって、第１および第２の部材の間に介在する部材の第１および第２の部材の対向方向に沿った寸法に応じて、保持部材によって保持されるヒンジ部の保持位置を変位させることができる。これによって、第１および第２の部材の間に介在する部材の第１および第２の部材の対向方向に沿った寸法に左右されることなく、当該部材を第１および第２の部材の間に確実に位置させるとともに、ヒンジ部の変位範囲を規制部によって規制することで、第１および第２の部材が不意に分断されることを防止することができる。
【０００７】
また、この発明にかかる連結機構における前記保持部は、前記ヒンジ部に連結されたスライド部材と、当該スライド部材を前記対向方向に沿ってスライド可能に保持するホルダ部材とを有し、前記規制部は、前記スライド部材と前記ホルダ部材との間に設けられて、前記第１および第２の部材が所定距離離間する位置において係合する係合部材であることを特徴とする。
【０００８】
したがって、第１および第２の部材が所定距離離間する位置においてのみ、ヒンジ部の変位を規制することができる。これによって、第１および第２の部材が所定距離離間するまでの位置におけるヒンジ部の変位を阻害することなく、第１および第２の部材が不意に分断されることを防止することができる。これによって、たとえば、第１および第２の部材に亘って設けられた給電ケーブルの断線を防止することができる。
【０００９】
また、この発明にかかる連結機構における前記係合部材は、前記スライド部材に設けられた凸部および前記ホルダ部材において前記凸部の移動軌跡上に設けられた凹部であることを特徴とする。
【００１０】
したがって、実用上簡易な構成によってヒンジ部の変位を規制することができる。これによって、連結機構の製造の容易化を図ることができる。
【００１１】
また、この発明にかかる画像読取装置は、原稿を支持する原稿台が設けられた本体ハウジングと、前記原稿台に対向配置される原稿カバーと、前記本体ハウジングに対して前記原稿カバーを回動可能に連結するヒンジ部と、前記ヒンジ部を前記本体ハウジングおよび前記原稿カバーの対向方向に沿って変位可能に保持する保持部と、前記保持部によって保持される前記ヒンジ部の変位範囲を規制する規制部と、を備えることを特徴とする。
【００１２】
したがって、読み取り対象とする原稿の厚さに応じて、保持部材によって保持されるヒンジ部の位置を変位させることができる。これによって、原稿の厚さに左右されることなく、原稿を本体ハウジングに対して確実に押し当てるとともに、ヒンジ部の変位範囲を規制部によって規制することで、本体ハウジングに対して原稿カバーが不意に引き抜かれることを防止することができる。
【発明を実施するための最良の形態】
【００１３】
以下に添付図面を参照して、この発明にかかる連結機構および画像読取装置の好適な実施の形態を詳細に説明する。この実施の形態は、この発明にかかる連結機構および画像読取装置を有する複合機への適用例を示す。
【００１４】
図１は、この発明の実施の形態にかかる複合機の外観を示す斜視図である。まず、この発明の実施の形態にかかる連結機構および画像読取装置を備えた複合機の外観について図１を参照して説明する。図１に示すように、複合機１００は、画像読取装置としてのスキャナ部１１０と、プリンタ部１２０と、操作パネル１５０とを備えている。スキャナ部１１０は、原稿の画像（図形、テキスト、写真など）を光学的に読み取り、光学的に読み取った画像を光電変換するなどして画像データを生成する。
【００１５】
図２は、複合機１００の内部構造を示す縦断側面図である。つぎに、複合機１００の内部構造について図２を参照して説明する。図２に示すように、スキャナ部１１０は、スキャナケース１１１と、透過型原稿用光源ユニット（以下、「ＴＰＵユニット」という）１１２と、原稿保持部としての原稿台１１３と、スキャナキャリッジ１１４と、キャリッジガイド１１５とを備えている。スキャナケース１１１は、筐体形状を有しており、図示しないヒンジを介して、プリンタケース１２１に対して回動可能に連結されている。この実施の形態においては、スキャナケース１１１によって第１の部材が実現されている。スキャナケース１１１内には、原稿に記載されたデータを光学的に読み取るための各部材が格納されている。
【００１６】
ＴＰＵユニット１１２は、原稿台１１３に載置された原稿を、上方から覆うようにして原稿台１１３に対して押さえつける。ＴＰＵユニット１１２には、原稿を押さえつける部分に、原稿台１１３とほぼ同じ大きさの板状の図示しない保護マットが設けられている。ＴＰＵユニット１１２は、連結機構（図４参照）を介して、スキャナケース１１１に対して回動可能に連結されている。この実施の形態においては、ＴＰＵユニット１１２によって第２の部材が実現されている。
【００１７】
原稿台１１３は、光学的に透明なガラス材料などを用いて形成された板状部材であり、スキャナケース１１１の上部に形成された図示しない開口部を閉塞するように固定されている。原稿台１１３には、ユーザによって原稿が載置される。なお、原稿は、紙などを用いた不透過型原稿であっても、透明なフィルムなどを用いた透過型原稿であってもよい。
【００１８】
スキャナキャリッジ１１４は、スキャナケース１１１の内部に収容されており、原稿の画像を光学的に読み取るための各部材を搭載している。スキャナキャリッジ１１４は、副走査方向を長手方向として配置されたキャリッジガイド１１５に沿って往復動可能に設けられている。スキャナキャリッジ１１４は、たとえば、モータおよびモータに連結された駆動ベルトなどによって構成される図示しない駆動機構によって往復動される。
【００１９】
なお、図示を省略するが、スキャナキャリッジ１１４には、原稿の画像を光学的に読み取るための各部材として、リニアイメージセンサを実装した走査回路基板、レンズ、ミラー、光源などが搭載されている。スキャナキャリッジ１１４に搭載された光源から原稿に向けて出射された光は、ミラーおよびレンズを介してリニアイメージセンサの受光面に結像される。
【００２０】
なお、リニアイメージセンサとは、受光面に結像された光学像を光電変換して、受光素子ごとの受光量に応じた電気信号を出力する素子であり、フォトダイオードなどの受光素子が主走査方向に直線状に並ぶ姿勢で走査回路基板に搭載されることによって形成されている。
【００２１】
つぎに、プリンタ部１２０について説明する。プリンタ部１２０は、複合機１００に対して、ネットワークを介して接続されたＰＣ（パーソナルコンピュータ）などから送信された画像データに基づいて、用紙に画像を形成する。図２に示すように、プリンタ部１２０は、プリンタケース１２１と、ＡＳＦユニット１３０と、印刷機構部（図３参照）とによって構成されている。ＡＳＦユニット１３０は、給紙口１３０Ａの近傍に設けられ、給紙ローラ１３１と、紙支持板１３２と、給紙板１３３と、とを備えている。
【００２２】
プリンタケース１２１には、スキャナケース１１１に向けて開口する開口部１２１Ａが設けられている。開口部１２１Ａは、スキャナケース１１１をプリンタケース１２１に対して離反する方向に回動させることによって、露出させることが可能であり、たとえば、スキャナケース１１１の内部に格納された各部材をメンテナンスする際に露出される。プリンタケース１２１内には、画像データに基づいて用紙に画像を形成するための各部材が格納されている。
【００２３】
図３は、ＡＳＦユニット１３０および印刷機構部を示す縦断側面図である。つぎに、ＡＳＦユニット１３０および印刷機構部について図３を参照して説明する。上述したＡＳＦユニット１３０において、給紙ローラ１３１は、給紙口１３０Ａの近傍において給紙方向に回転可能にプリンタケース１２１に軸支されている。給紙ローラ１３１は、ＡＳＦユニット１３０に設けられたモータまたは図示しないモータからの駆動力を受けて回転することによって、給紙板１３３により押し出された用紙を給紙口１３０Ａからプリンタケース１２１の内部に引き込み、後述する印刷ヘッド１４４とプラテン１４５との間に搬送する。
【００２４】
紙支持板１３２は、給紙板１３３の上方に形成された板状の部材であり、紙支持板１３２の下端に形成されたヒンジによって給紙板１３３の上端に開閉可能に連結されている。紙支持板１３２は、図２および図３に示すように、給紙する時には、前面が開放された状態で、給紙板１３３の前面の傾斜角度と紙支持板１３２の前面の傾斜角度とが一致する位置に係止される。紙支持板１３２は、用紙束１２２の背面を支持する。
【００２５】
紙支持板１３２は、給紙しない時には、紙支持板１３２の下端に形成されたヒンジを軸にして、複合機１００の正面側に向かって折り畳むことができる。このように折り畳まれた紙支持板１３２は、紙支持板１３２の上方の前面が、ＴＰＵユニット１１２と当接することによって係止され、これによって、給紙口１３０Ａにつながる空間が閉塞される。給紙板１３３は、用紙束１２２を給紙口１３０Ａに供給できる位置に設けられた板状の部材であり、用紙束１２２を保持する。給紙板１３３は、モータの回転に伴って揺動し、用紙束１２２の下端を給紙口１３０Ａ側に押し出すことによって、給紙口１３０Ａに用紙を滑り落とす。
【００２６】
印刷機構部１４０は、プリンタキャリッジ１４１、インクカートリッジ１４２、ガイドロッド１４３、印刷ヘッド１４４、プラテン１４５、排紙ローラ１４６、スタッカ１４７などを備えている。プリンタキャリッジ１４１は、内部にインクカートリッジ１４２を脱着自在に格納する。プリンタキャリッジ１４１は、印刷機構部１４０に設けられたモータによって駆動されるベルトによって係止されており、モータの回転に伴って、ベルトを介してガイドロッド１４３に支持されながらガイドロッド１４３の軸方向に往復動する。
【００２７】
インクカートリッジ１４２は、各色のインクが貯蔵された容器であり、プリンタキャリッジ１４１に脱着自在に格納される。インクカートリッジ１４２に貯蔵されたインクは、インク通路を通じて、印刷ヘッド１４４のノズルに供給される。ガイドロッド１４３は、プリンタケース１２１に固定された棒状の部材であり、プリンタキャリッジ１４１を複合機１００の横幅方向に摺動自在に支持する。
【００２８】
印刷ヘッド１４４は、プリンタキャリッジ１４１の下方に設けられ、インクジェット方式によりインクカートリッジ１４２から供給されたインクを用紙に定着させる。印刷ヘッド１４４には、インクを吐出するノズル、インク通路などが備えられている。印刷ヘッド１４４はプリンタキャリッジ１４１とともにガイドロッド１４３の軸方向に往復動する。なお、本実施の形態においてはインクジェット方式の印刷手段を用いているが、レーザなどを用いた静電画像形成方式、昇華方式、インパクト方式などを用いてもよい。
【００２９】
プラテン１４５は、印刷ヘッド１４４の下方に位置し、上方に平面を有する棒状の部材であり、プリンタケース１２１に固定されている。プラテン１４５の上方に形成された平面は、用紙に摺接し、印刷ヘッド１４４から下方にわずかに離れた位置に用紙を位置決めする。
【００３０】
排紙ローラ１４６は、排紙口１４０Ａの近傍において排紙方向に回転可能に設けられている。排紙ローラ１４６は、印刷機構部１４０に設けられたモータなどの駆動により回転することによって、印刷がおこなわれた用紙を引き出し、排紙口１４０Ａからプリンタケース１２１の外部に排出する。排紙ローラ１４６によってプリンタケース１２１の外部に排出された用紙は、プリンタケース１２１に揺動自在に支持されたスタッカ１４７の上面に堆積される。
【００３１】
操作パネル１５０は、プリンタケース１２１の正面側に設けられており、ユーザによって操作されることによって、複合機１００に対する画像読み取り処理、印刷処理などの各種の処理要求を受け付ける。操作パネル１５０には、液晶パネル１５１、複数の押しボタン１５２などが設けられている。液晶パネル１５１には、設定メニュー、操作メニュー、処理状況などが表示される。ユーザは処理要求に応じた押しボタン１５２を押すことによって、複合機１００に対して処理を要求する。
【００３２】
なお、図示を省略するが、複合機１００は、複合機１００が備える各部を駆動制御する制御部を備えている。制御部は、複合機１００が備える各部のうち、スキャナ部１１０を集中的に駆動制御するＣＰＵや、プリンタ部１２０を集中的に駆動制御するＣＰＵ、および、これらのＣＰＵによって実行される各種制御プログラムを記憶するＲＯＭやＣＰＵのワークエリアとして機能するＲＡＭなどによって構成されている。制御部は、たとえば、スキャナ部１１０において読み取られた原稿の画像に対する所定の画像処理をおこなう。
【００３３】
図４は、連結機構の外観を示す斜視図（その１）である。つぎに、上述した連結機構について図４を参照して説明する。図４に示すように、連結機構４００は、ヒンジ部４１０と保持部４２０とを備えている。ヒンジ部４１０は、ＴＰＵユニット１１２をスキャナケース１１１に対して回動可能に連結する。保持部４２０は、ＴＰＵユニット１１２およびスキャナケース１１１の対向方向に沿って、ヒンジ部４１０を変位可能に保持する（図８参照）。なお、図４には、たとえば、待機時や厚さの薄い原稿を読み取り対象とする場合における、スキャナケース１１１およびＴＰＵユニット１１２の状態が示されている。
【００３４】
図５は、ヒンジ部４１０を示す斜視図である。図５に示すように、ヒンジ部４１０は、ＴＰＵユニット１１２側に設けられている。ヒンジ部４１０は、支持部材５０１と、スライド部材５０２と、を備えている。支持部材５０１は、スライド部材５０２に設けられた軸受け孔５０３に軸部材（図６参照）を挿入することによって、スライド部材５０２を回動自在に支持する。
【００３５】
図６は、支持部材５０１を示す斜視図である。図６に示すように、支持部材５０１は、ＴＰＵユニット１１２に取り付けられており、軸部材６０１と当接部材６０２とを備えている。軸部材６０１は、スキャナケース１１１に対するＴＰＵユニット１１２の回動軸芯方向に沿って突出するように設けられている。当接部材６０２は、スライド部材５０２に設けられた付勢部材（図７参照）に当接される。
【００３６】
図７は、スライド部材５０２を示す斜視図である。図７においては、図５におけるスライド部材５０２を、裏面側から見た状態が示されている。図７に示すように、スライド部材５０２は、長板形状を有しており、スライド部材５０２の回動面内において、スライド部材５０２から突出する凸部７０１を有している。
【００３７】
凸部７０１は、スライド部材５０２において、軸受け孔５０３側の１辺を除く３辺を囲むように設けられた切り欠き部７０２によって形成された弾性部材７０３の先端部に設けられている。弾性部材７０３の軸受け孔５０３側には、上述した当接部材６０２に当接される付勢部材７０４が設けられている。付勢部材７０４は、スライド部材５０２の回動面に沿った断面形状が、略Ｓ字形状となる形状を有している（図９〜図１１参照）。
【００３８】
図８は、連結機構４００の外観を示す斜視図（その２）である。つぎに、保持部４２０について図８を参照して説明する。図８に示すように、保持部４２０は、上述したスライド部材５０２と、スライド部材５０２をスライド可能に保持するホルダ部材８０１と、を備えている。ホルダ部材８０１は、開口部８０２、８０３を備えている。開口部８０２には、スライド部材５０２が挿入される。
【００３９】
ホルダ部材８０１において開口部８０３は、スライド部材５０２における凸部７０１のスライド軌跡上に設けられている。ここに、凸部７０１および開口部８０３によって、規制部としての係合部材が実現されている。なお、図８には、たとえば、辞書などのように厚さの厚い原稿を読み取り対象とする場合における、スキャナケース１１１およびＴＰＵユニット１１２の状態が示されている。
【００４０】
図９および図１０は、保持部４２０を示す縦断側面図（その１）および（その２）である。ここで、連結機構４００の動作について図９および図１０を参照して説明する。図９は上述した図４に示した状態の連結機構４００を断面した場合の保持部４２０を示しており、図１０は上述した図８に示した状態の連結機構４００を断面した場合の保持部４２０を示している。図４において説明したように、厚さの薄い原稿を読み取り対象とする場合、ＴＰＵユニット１１２は、スキャナケース１１１に接触した位置に位置づけられる。この場合、図９に示すように、スライド部材５０２は、ホルダ部材８０１における開口部８０２に対して深く挿入された状態となる。
【００４１】
また、図８において説明したように、厚さの厚い原稿を読み取り対象とする場合、ＴＰＵユニット１１２は、スキャナケース１１１およびＴＰＵユニット１１２の対向方向に沿って、原稿の厚さの分スキャナケース１１１から離間した位置に位置づけられる。この場合、スライド部材５０２は、ＴＰＵユニット１１２の位置に応じて、ホルダ部材８０１中を、スキャナケース１１１側からＴＰＵユニット１１２側へ向けてスライドする。
【００４２】
この実施の形態においては、スライド部材５０２に凸部７０１が設けられており、開口部８０３が凸部７０１のスライド軌跡上に設けられているため、スキャナケース１１１側からＴＰＵユニット１１２側へ向けたスライド部材５０２のスライドは、図１０に示すように、凸部７０１が開口部８０３に引っ掛かる位置において規制される。
【００４３】
図１１は、保持部４２０を示す縦断側面図（その３）である。ここで、連結機構４００の動作について図１１を参照して説明する。この実施の形態においては、図１１に示すように、凸部７０１を、凸部７０１の突出方向とは反対方向に付勢することにより、付勢部材７０４を弾性変形させることによって、開口部８０３に対する凸部７０１の引っ掛かりを解除することができる。
【００４４】
そして、開口部８０３に対する凸部７０１の引っ掛かりを解除した後、スライド部材５０２を、スキャナケース１１１側からＴＰＵユニット１１２側へ向けてさらにスライドさせることで、スキャナケース１１１に対してＴＰＵユニット１１２を取り外すことができる。付勢部材７０４は当接部材６０２に当接されているため、ホルダ部材８０１から取り外された弾性部材７０３は、当接部材６０２からの当接力を受け、自身の弾性力によって図７に示す形状に復帰する。
【００４５】
上述したように、この実施の形態によれば、読み取り対象とする原稿の厚さに応じて、保持部４２０によって保持されるヒンジ部４１０の位置を、原稿台１１３に対して変位させることができる。したがって、原稿の厚さに左右されることなく、原稿を原稿台１１３に対して確実に押し当てることができる。これによって、原稿の厚さに左右されることなく、原稿の画像を正確に読み取ることができる。
【００４６】
さらに、この実施の形態によれば、弾性部材７０３を弾性変形させることによって、開口部８０３に対する凸部７０１の引っ掛かりを解除することができる。したがって、スキャナケース１１１とＴＰＵユニット１１２とに亘って設けられた給電ケーブルに注意を促した状態で、ＴＰＵユニット１１２を、スキャナケース１１１から取り外すことができる。これによって、スライド部材５０２のスライド範囲よりも厚い原稿であっても、給電ケーブルを断線させずに読み取ることができる。
【００４７】
ところで、たとえば、スキャナケース１１１に対するＴＰＵユニット１１２の着脱を容易な構成とした場合、ＴＰＵユニット１１２を取り外す際に勢いがつき易く、ＴＰＵユニット１１２を勢いよく取り外すことによって給電ケーブルが断線し易くなってしまうという問題があった。これに対し、この実施の形態によれば、スキャナケース１１１側からＴＰＵユニット１１２側へ向けたヒンジ部４１０の変位は、開口部８０３に凸部７０１が引っ掛かる位置で規制される。したがって、ＴＰＵユニット１１２がスキャナケース１１１から勢いよく引き抜かれることを防止することができる。これによって、スライド部材５０２のスライド範囲よりも厚い原稿であっても、当該原稿の画像を給電ケーブルを断線させずに読み取ることができる。
【００４８】
また、この実施の形態によれば、スライド部材５０２は、開口部８０３に凸部７０１が引っ掛かる位置に限ってスライドが規制される。したがって、ホルダ部材８０１の開口部８０２に挿入されたスライド部材５０２は、開口部８０３に凸部７０１が引っ掛かるまでの間はスムーズにスライドすることができる。これによって、厚手の原稿を読み取る場合においても、良好な操作性を維持することができる。
【００４９】
ここで、この実施の形態によれば、スライド部材５０２とホルダ部材８０１とは常に密着している必要はなく、開口部８０３に凸部７０１が引っ掛かる位置以外では、スライド部材５０２とホルダ部材８０１との間に或る程度の隙間が生じていてもよい。このため、開口部８０３に凸部７０１が引っ掛かる位置以外では、ホルダ部材８０１に対してスライド部材５０２をスムーズにスライドさせることができるとともに、スライドに際してホルダ部材８０１に対してスライド部材５０２が擦れ合うことによって生じる騒音を低減することができる。
【００５０】
また、この実施の形態によれば、凸部７０１および凸部７０１の移動軌跡上において開口する開口部８０３によって、凸部７０１が開口部８０３に引っ掛かることによってスライド部材５０２のスライドが規制される。したがって、実用上簡易な構成によって規制部を実現することができる。これによって、連結機構４００の製造の容易化を図り、量産性の向上を図ることができる。
【００５１】
また、この実施の形態によれば、ヒンジ部４１０は、支持部材５０１とスライド部材５０２とに二体化されている。これによって、スキャナケース１１１に対してＴＰＵユニット１１２を回動させる際に擦れ合う部分を少なくして、支持部材５０１とスライド部材５０２とが擦れ合うことによって生じる騒音（音鳴き）を低減することができる。また、ヒンジ部４１０の構成の簡易化を図るとともに、組立て作業の容易化を図ることができる。
【００５２】
ここで、スライド部材５０２およびホルダ部材８０１を、たとえば、樹脂材料用いて形成する場合、射出成型などを用いて形成することが可能である。これによって、スライド部材５０２およびホルダ部材８０１の製造の容易化を図るとともに量産性の向上を図ることができる。
【００５３】
また、この実施の形態によれば、スライド部材５０２がホルダ部材８０１によって覆われた構成であるため、ホルダ部材８０１に対するスライド部材５０２のスライド部分が外部に露出することがない。これによって、外部からの衝撃などから保持部４２０を保護し、保持部４２０の強度を維持する効果を期待することができる。
【図面の簡単な説明】
【００５４】
【図１】実施の形態にかかる複合機の外観を示す斜視図。
【図２】複合機の内部構造を示す縦断側面図。
【図３】ＡＳＦユニットおよび印刷機構部を示す縦断側面図。
【図４】連結機構の外観を示す斜視図（その１）。
【図５】ヒンジ部を示す斜視図。
【図６】支持部材を示す斜視図。
【図７】スライド部材を示す斜視図。
【図８】連結機構の外観を示す斜視図（その２）。
【図９】保持部を示す縦断側面図（その１）。
【図１０】保持部を示す縦断側面図（その２）。
【図１１】保持部を示す縦断側面図（その３）。
【符号の説明】
【００５５】
１１１  第１の部材、１１２  第２の部材、４００  連結機構、４１０  ヒンジ部、４２０  保持部、５０２  スライド部材、８０１  ホルダ部材
【図１】
2007088681.tif 000003
【図２】
2007088681.tif 000004
【図３】
2007088681.tif 000005
【図４】
2007088681.tif 000006
【図５】
2007088681.tif 000007
【図６】
2007088681.tif 000008
【図７】
2007088681.tif 000009
【図８】
2007088681.tif 000010
【図９】
2007088681.tif 000011
【図１０】
2007088681.tif 000012
【図１１】
2007088681.tif 000013